(57)【要約】【課題】プロテクタに異なるサイズのコルゲートチューブを接続する場合に、プロテクタを共用で使えるようにする。【解決手段】車両に配索されるワイヤハーネスを挿通するコルゲートチューブと連結するワイヤハーネス用プロテクタであって、コルゲートチューブとの連結部分となる長さ方向先端の内面に、大径サイズのコルゲートチューブの谷部に対応した複数の大径用の係止突起を長さ方向に並列に突設している一方、小径サイズのコルゲートチューブの谷部の深さ及びピッチに対応した係止突起を内面に設けた交換用のアダプタを設け、該アダプタに前記大径用係止突起の間に嵌合固定できる円弧状取付部を設けている。【選択図】図１
2011244650.tif 000002
【特許請求の範囲】
【請求項１】
車両に配索されるワイヤハーネスを挿通するコルゲートチューブと連結するワイヤハーネス用プロテクタであって、
コルゲートチューブとの連結部分となる長さ方向先端側の内面に、大径サイズのコルゲートチューブの谷部に対応した複数の大径用の係止突起を長さ方向に並列に突設している一方、
小径サイズのコルゲートチューブの谷部の深さ及びピッチに対応した係止突起を内面に設けた交換用のアダプタを設け、該アダプタに前記大径用係止突起の間に嵌合固定できる円弧状取付部を設けていることを特徴とするワイヤハーネス用プロテクタ。
【請求項２】
前記交換用のアダプタは、前記円弧状取付部の幅方向両側を上方を突出させた後に長さ方向へ突出させて連結部を設け、該連結部の内面から小径サイズ用の複数の係止突起を幅方向で対向して突設している請求項１に記載のワイヤハーネス用プロテクタ。
【発明の詳細な説明】
【技術分野】
【０００１】
本発明はワイヤハーネス用プロテクタに関し、詳しくは、車両に配索されるワイヤハーネスを挿通するコルゲートチューブと連結するプロテクタからなり、コルゲートチューブの外径が相違しても共用可能とするものである。
【背景技術】
【０００２】
自動車等の車両に配索するワイヤハーネスは、該ワイヤハーネスの保護やワイヤハーネスを構成する電線群を集束する目的でコルゲートチューブ内に通している場合が多い。  コルゲートチューブは、押出成形された樹脂成形品で、環状の山部と谷部とを長さ方向に交互に設けた形状であり、伸縮機能および屈曲機能を有することから、汎用されている。  該コルゲートチューブは内部に挿通するワイヤハーネスの外径に応じて内径が相違したものが用いられ、例えば、外径が１０ｍｍ、１５ｍｍ、１９ｍｍ等、多数のサイズのコルゲートチューブが現在用いられている。
また、ワイヤハーネスの配索方向を規制する必要がある領域では樹脂成形品からなるプロテクタの内部にワイヤハーネスを挿通しているため、該プロテクタの先端開口とコルゲートチューブの端部とを連結する必要がある。
【０００３】
コルゲートチューブと連結するプロテクタには、プロテクタの連結側の先端部内面に、コルゲートチューブの谷部の深さに対向した突出寸法の係止突起を谷部のピッチに応じた間隔をあけて並設している。該プロテクタの係止突起をコルゲートチューブの谷部に挿入することで、プロテクタ内にコルゲートチューブを位置決め保持している。
その際、プロテクタに設ける係止突起の突出寸法にコルゲートチューブのサイズが小さい場合には、コルゲートチューブが係止されず脱落することになる。よって、連結するコルゲートチューブのサイズに対応した係止突起をプロテクタに形成する必要があるが、プロテクタを新たに製造するとコスト高になる。
【０００４】
そのため、本出願人が特開平８−１８２１４６号公報（特許文献１）で提供しているプロテクタでは、連結するコルゲートチューブのサイズが異なってもプロテクタを共用できるようにしている。具体的には、図５に示すように、プロテクタ本体１１０の底壁と蓋１１１の上壁にそれぞれ開口１１０ａ、１１１ａを設け、これらの開口にコルゲートチューブ１００の谷部１００ａに嵌合するリテーナ（リブ）１２０ａ、１２１ａを突設した交換部品１２０、１２１を着脱自在に取り付けるようにしている。
また、特開２００４−６２１０号公報（特許文献２）にも、プロテクタの先端開口に面した部分に、コルゲートチューブのサイズに対応した係止リブを有するアダプタをプロテクタに収容することが記載されている。
【先行技術文献】
【特許文献】
【０００５】
【特許文献１】特開平８−１８２１４６号公報
【特許文献２】特開２００４−６２１０号公報
【発明の概要】
【発明が解決しようとする課題】
【０００６】
前記特許文献１のようにプロテクタの本体および蓋に交換部品取付用の開口１１０ａ、１１１ａを設けると、プロテクタ本体の強度が低下する問題がある。かつ、交換部品１２０、１２１とプロテクタ本体１１０、蓋１１１とはロック結合して取り付けるため、各部品にロック結合部を設ける必要があり、形状が複雑になると共にロック結合作業が必要になり、改善の余地がある。
同様に、特許文献２のようにプロテクタ自体にコルゲートチューブ用の係止リブを設けずに、コルゲートチューブのサイズに対応した係止リブを有するアダプタをプロテクタに取り付けるようにした場合、常に、プロテクタにアダプタを取り付ける必要があり、部品点数が増加し、かつ、作業手数もかかる問題がある。
【０００７】
本発明は、プロテクタ本体等に交換用の開口を設けず強度低下を防止し、かつ、必要な時だけ、交換部品のアダプタをワンタッチ操作で簡単に取り付けることが出来るようにすることを課題としている。
【課題を解決するための手段】
【０００８】
前記課題を解決するため、本発明は、車両に配索されるワイヤハーネスを挿通するコルゲートチューブと連結するワイヤハーネス用プロテクタであって、
コルゲートチューブとの連結部分となる長さ方向先端側の内面に、大径サイズのコルゲートチューブの谷部に対応した複数の大径用の係止突起（リブ）を長さ方向に並列に突設している一方、
小径サイズのコルゲートチューブの谷部の深さ及びピッチに対応した係止突起を内面に設けた交換用のアダプタを設け、該アダプタに前記大径用係止突起の間に嵌合固定できる円弧状取付部を設けていることを特徴とするワイヤハーネス用プロテクタを提供している。
【０００９】
前記コルゲートチューブのサイズに適合させた交換用のアダプタは、前記円弧状取付部の幅方向両側を上方を突出させた後に長さ方向へ突出させて連結部を設け、該連結部の内面から小径サイズ用の複数の係止突起を幅方向で対向して突設している。
【００１０】
本発明では、コルゲートチューブと連結するプロテクタには、大径サイズのコルゲートチューブとの連結用の係止突起を予め一体成形で突設している。この予め突設する大径サイズのコルゲートチューブ用の係止突起も、大径サイズ中で大・小の複数種類としてもよい。
小径サイズのコルゲートチューブを連結する際には、前記予め成形している大径用係止突起と隣接した位置に、小径サイズのコルゲートチューブ連結用のアダプタを大径用係止突起を利用して着脱自在に取り付けられるようにしている。
【００１１】
該プロテクタでは、一体成形している係止突起と適合するサイズの大径コルゲートチューブと連結する場合には、交換用アダプタを取り付ける必要はなく、小径サイズのコルゲートチューブを連結する場合のみ交換用アダプタを取り付ければよい。かつ、該交換用アダプタを取り付けるために専用のロック部を設ける必要もなく、一体成形で設けられている係止突起の間に嵌合するだけでワンタッチで取り付けることができる。
【発明の効果】
【００１２】
前記のように、本発明では、コルゲートチューブと接続するプロテクタに、サイズの異なるコルゲートチューブを接続する際、コルゲートチューブのサイズに適合した係止突起を突設したアダプタを取り付けることにより、プロテクタ自体を変更する必要はない。
特に、本発明のプロテクタでは予めプロテクタに設けた係止突起と適合する大径サイズのコルゲートチューブと連結する場合には交換用アダプタを取り付ける必要もない。
さらに、プロテクタ本体や蓋体にアダプタ取付用の開口を設ける必要はなく、強度低下を防止できる。かつ、アダプタとの結合用のロックを設ける必要もなく、構造の複雑化を防止できる。
【図面の簡単な説明】
【００１３】
【図１】本発明の実施形態のプロテクタを示し、（Ａ）は概略斜視図、（Ｂ）は小径コルゲートチューブを連結した状態の要部平面図、（Ｃ）は大径コルゲートチューブを連結した状態の要部平面図である。
【図２】プロテクタに取り付けるアダプタを示し、（Ａ）は斜視図、（Ｂ）は正面図、（Ｃ）は平面図である。
【図３】（Ａ）はプロテクタにアダプタを装着する前のプロテクタの要部平面図、（Ｂ）はアダプタを組みつける位置を示す要部拡大平面図である。
【図４】（Ａ）はプロテクタにアダプタを装着した状態のプロテクタの要部平面図、（Ｂ）は（Ａ）の一部拡大図である。
【図５】従来例を示す図面である。
【発明を実施するための形態】
【００１４】
以下、本発明の実施形態を図１〜図４を参照して説明する。
ワイヤハーネス用のプロテクタ１は樹脂成形品からなり、長さ方向の一端側にコルゲートチューブ２を連続させ、コルゲートチューブ２の内部を挿通させたワイヤハーネス３をプロテクタ１の内部に連続して挿通させるようにしている。
【００１５】
プロテクタ１は、プロテクタ本体５と蓋体６とを薄肉ヒンジ部７を介して一体成形している。プロテクタ本体５は底壁５ａと、両側壁５ｂ、５ｃとを備えた断面凹形状で、長さ方向の両端に開口５ｄを有する。
【００１６】
プロテクタ本体５の開口５ｄにコルゲートチューブ２の先端部が挿入されるため、該開口５ｄ側の底壁５ａから両側壁５ｂ、５ｃにかけて、２種類の大径サイズのコルゲートチューブ２Ａ、２Ｂの谷部２ａ、２ｂと対応する突出寸法の円弧状の係止突起８、９を間隔をあけて一体成形で突設している。係止突起８は係止突起９より突出寸法を小さくしている。
【００１７】
具体的には、コルゲートチューブ２Ａを直径１９ｍｍの最大サイズとすると、コルゲートチューブ２Ｂは直径１５ｍｍの２番目に大きな大径サイズとし、コルゲートチューブ２Ａ用の係止突起８Ａを開口５ｄの先端側に設け、続いて、コルゲートチューブ２Ｂ用の係止突起９Ａ、９Ｂを２本並設し、続いてコルゲートチューブ２Ａ用の係止突起８Ｂを突設している。
これにより、コルゲートチューブ２Ａ、２Ｂをプロテクタ１に接続する場合には、アダプタを取り付けることなく、係止突起８または係止突起９をコルゲートチューブ２Ａまたは２Ｂの谷部に挿入係止して位置決め保持できるようにしている。
【００１８】
前記コルゲートチューブ２Ｂよりも直径１０ｍｍの小サイズのコルゲートチューブ２Ｃをプロテクタ１に連結する場合には、図１（Ａ）および図２に示す交換用のアダプタ１０を奥側に隣接する係止突起８Ｂと係止突起９Ｂを利用して固定できるようにしている。
【００１９】
アダプタ１０は、前記大径用の係止突起８Ｂと９Ｂの間に挿入する円弧状取付部１１と、該円弧状取付部１１の幅方向両側から上方に突出する連結部１２を設け、該連結部１２を長さ方向に突出し、該連結部１２の内面から小径サイズ用の複数の係止突起１３（１３Ａ〜１３Ｄ）を幅方向で対向して突設している。
前記円弧状取付部１１は一対の円弧状突出部１１ａ、１１ｂを底面部１１ｃで連結した形状で、プロテクタ本体５から突設した前記係止突起８Ｂと９Ｂとの間に密嵌して挿入され、該嵌合だけで固定できるものとしている。
【００２０】
前記アダプタ１０は、プロテクタ１に連結する小径サイズのコルゲートチューブ２Ｃに応じて係止突起１３の突出寸法およびピッチをかえて突設している。
該アダプタ１０は予め用意しておいてもよいし、必要時に作成してもよい。
【００２１】
上記構成とすることにより、プロテクタ１に２種類の異なるサイズの大径コルゲートチューブ２Ａ、２Ｂを連結するときは、図１（Ｃ）に示すように、プロテクタ１の係止突起８または係止突起９をコルゲートチューブの谷部に挿入して位置決め固定して連結できる。
【００２２】
小径サイズのコルゲートチューブ２Ｃを連結する時は、図３、図４に示すように、アダプタ１０をプロテクタ１に取り付けている。即ち、プロテクタ１の蓋体６をあけてプロテクタ本体５内にアダプタ１０を挿入し、図３（Ｂ）に示すように、アダプタ１０の円弧状取付部１１を係止突起８Ｂと９Ｂの間に圧入して固定している。
【００２３】
図４に示すように、アダプタ１０をプロテクタ本体５に取り付けた状態で、小径コルゲートチューブ２Ｃの先端側をプロテクタ本体５内に挿入し、図１（Ｂ）に示すように、小径コルゲートチューブ２Ｃの谷部２ｃの両側部に係止突起１３（１３Ａ〜１３Ｄ）を挿入係止する。該小径コルゲートチューブ２Ｃはプロテクタ本体５に突設されている係止突起８、９と干渉せず、係止突起８、９に囲まれた中空部を挿通する。
【００２４】
このように、本発明のプロテクタでは、予め大径サイズのコルゲートチューブ用の係止突起を設け、小径サイズのコルゲートチューブと連結する場合には、該大径サイズ用の係止突起を利用して小径サイズ用のアダプタを取り付けることができる。
即ち、プロテクタにアダプタの取付が不要にできる場合があり、かつ、アダプタを取り付ける場合にも専用の取付部を設ける必要がなく、プロテクタの形状を簡単にすることができる。
【符号の説明】
【００２５】
１  プロテクタ
２  コルゲートチューブ
３  ワイヤハーネス
５  プロテクタ本体
６  蓋体
８、９  係止突起
１０  アダプタ
【図１】
2011244650.tif 000003
【図２】
2011244650.tif 000004
【図３】
2011244650.tif 000005
【図４】
2011244650.tif 000006
【図５】
2011244650.tif 000007